(57)【要約】【課題】冠婚葬祭などのイベントにかかわる人の負担を軽減すること。【解決手段】カードリーダ装置１１２は、受付部４１１と、取得部４１２と、要求部４１３と、出力部４１４とを備える。受付部４１１は、主催者が開催するイベントの会場（結婚式場）において、所定の機関（カード会社）を介して主催者に支払う所望の金額（祝儀の金額）を招待者人から受け付ける。取得部４１２は、所定の機関を介して招待者が支払をおこなうことが可能なカード（クレジットカード）のカード情報を取得する。要求部４１３は、所定の機関を介して招待者が主催者に支払う支払先（個人口座）に、招待者のカード情報に応じた所望の金額の支払を実行する旨の要求を所定の機関におこなう。出力部４１４は、要求部４１３の要求によって主催者に支払われた支払結果を出力する。【選択図】図４Ｂ
2019003347.tif 000002
【特許請求の範囲】
【請求項１】
受取人が開催するイベントの会場において、所定の機関を介して前記受取人に支払う所望の金額を支払人から受け付ける受付部と、
前記所定の機関を介して前記支払人が支払をおこなうことが可能なカードのカード情報を取得する取得部と、
前記所定の機関を介して前記支払人が前記受取人に支払う支払先に、前記支払人のカード情報に応じた前記所望の金額の支払を実行する旨の要求を前記所定の機関におこなう要求部と、
前記要求部の要求によって前記受取人に支払われた支払結果を出力する出力部と、
を備えたことを特徴とする支払支援装置。
【請求項２】
前記受取人は、前記所定の機関において加盟店として登録され、
前記支払先は、前記加盟店として登録された前記受取人の口座である、
ことを特徴とする請求項１に記載の支払支援装置。
【請求項３】
前記受付部は、前記イベントの会場において、受取人毎に異なる複数の支払先のうちのいずれかの支払先を前記支払人から受け付け、
前記要求部は、前記受付部によって受け付けられた支払先に、前記支払人のカード情報に応じた前記所望の金額の支払を実行する旨の要求を前記所定の機関におこなう、
ことを特徴とする請求項１または２に記載の支払支援装置。
【請求項４】
前記出力部は、前記支払結果を印字出力することを特徴とする請求項１〜３のいずれか一つに記載の支払支援装置。
【請求項５】
前記支払人のカード情報は、前記支払人の住所を特定する情報を含み、
前記受付部は、前記支払人の住所を前記受取人に通知するか否かの選択を受け付け、
前記出力部は、前記受付部によって受け付けられた選択結果に応じて、前記支払人のカード情報によって特定される前記支払人の住所を前記受取人に通知可能に出力する、
ことを特徴とする請求項１〜４のいずれか一つに記載の支払支援装置。
【請求項６】
前記支払人のカード情報は、前記支払人を特定する情報を含み、
前記出力部は、前記支払人のカード情報によって特定される支払人がイベントに出席したことを前記受取人に通知可能に出力する、
ことを特徴とする請求項１〜５のいずれか一つに記載の支払支援装置。
【請求項７】
前記出力部は、前記支払人毎に応じたイベントに関する情報の中から、前記支払人のカード情報によって特定される支払人に応じたイベントに関する情報を出力する、
ことを特徴とする請求項６に記載の支払支援装置。
【請求項８】
受取人が開催するイベントの会場において、所定の機関を介して前記受取人に支払う所望の金額を支払人から受け付け、
前記所定の機関を介して前記支払人が支払をおこなうことが可能なカードのカード情報を取得し、
前記所定の機関を介して前記支払人が前記受取人に支払う支払先に、前記支払人のカード情報に応じた前記所望の金額の支払を実行する旨の要求を前記所定の機関におこない、
前記要求によって前記受取人に支払われた支払結果を出力する、
処理をコンピュータが実行することを特徴とする支払支援方法。
【請求項９】
受取人が開催するイベントの会場において、所定の機関を介して前記受取人に支払う所望の金額を支払人から受け付け、
前記所定の機関を介して前記支払人が支払をおこなうことが可能なカードのカード情報を取得し、
前記所定の機関を介して前記支払人が前記受取人に支払う支払先に、前記支払人のカード情報に応じた前記所望の金額の支払を実行する旨の要求を前記所定の機関におこない、
前記要求によって前記受取人に支払われた支払結果を出力する、
処理をコンピュータに実行させることを特徴とする支払支援プログラム。
【発明の詳細な説明】
【技術分野】
【０００１】
この発明は、支払支援装置、支払支援方法、および支払支援プログラムに関する。
【背景技術】
【０００２】
従来、冠婚葬祭などの式場においては、出席者が祝儀や香典を持参し、持参した祝儀や香典を受付にて差し出して記名等をおこなう受付手続がおこなわれる。受付手続は、たとえば、出席の確認や、祝儀や香典の受領や、出席者に記名を促すことなどである。また、受付を担当する受付員は、たとえば、新郎新婦が依頼した友人や、喪主が依頼した知人などによっておこなわれる。
【０００３】
関連する先行技術としては、会場出席者と来場しないオンライン出席者とを相互に視認可能にするとともに、各オンライン出席者同士も相互に視認可能にし、各オンライン出席者が会場に同席したような環境で冠婚葬祭をおこなうことや、オンライン出席者がクレジットカードで祝儀を支払えることが開示されている（たとえば、下記特許文献１参照。）。
【先行技術文献】
【特許文献】
【０００４】
【特許文献１】特開２００３−３３１０７３号公報
【発明の概要】
【発明が解決しようとする課題】
【０００５】
しかしながら、従来技術では、冠婚葬祭などのイベントでは、現金の授受がおこなわれるため、イベントにかかわる人の負担となっていた。具体的には、たとえば、上述した特許文献１の会場出席者は、現金を用意する必要があり、特に、結婚式では新札を用意する慣習があるため、煩わしいことがあり、負担となっていた。また、出席者が持参した現金を受け取る受付員にとっては、出席者から提示された現金を管理し、紛失防止に努めるため、負担となっていた。
【０００６】
この発明は、上述した従来技術による問題点を解消するため、イベントにかかわる人の負担を軽減することができる支払支援装置、支払支援方法、および支払支援プログラムを提供することを目的とする。
【課題を解決するための手段】
【０００７】
上述した課題を解決し、目的を達成するため、この発明にかかる支払支援装置は、受取人が開催するイベントの会場において、所定の機関を介して前記受取人に支払う所望の金額を支払人から受け付ける受付部と、前記所定の機関を介して前記支払人が支払をおこなうことが可能なカードのカード情報を取得する取得部と、前記所定の機関を介して前記支払人が前記受取人に支払う支払先に、前記支払人のカード情報に応じた前記所望の金額の支払を実行する旨の要求を前記所定の機関におこなう要求部と、前記要求部の要求によって前記受取人に支払われた支払結果を出力する出力部と、を備えたことを特徴とする。
【０００８】
また、この発明にかかる支払支援装置は、上記発明において、前記受取人は、前記所定の機関において加盟店として登録され、前記支払先は、前記加盟店として登録された前記受取人の口座である、ことを特徴とする。
【０００９】
また、この発明にかかる支払支援装置は、上記発明において、前記受付部は、前記イベントの会場において、受取人毎に異なる複数の支払先のうちのいずれかの支払先を前記支払人から受け付け、前記要求部は、前記受付部によって受け付けられた支払先に、前記支払人のカード情報に応じた前記所望の金額の支払を実行する旨の要求を前記所定の機関におこなう、ことを特徴とする。
【００１０】
また、この発明にかかる支払支援装置は、上記発明において、前記出力部は、前記支払結果を印字出力することを特徴とする。
【００１１】
また、この発明にかかる支払支援装置は、上記発明において、前記支払人のカード情報は、前記支払人の住所を特定する情報を含み、前記受付部は、前記支払人の住所を前記受取人に通知するか否かの選択を受け付け、前記出力部は、前記受付部によって受け付けられた選択結果に応じて、前記支払人のカード情報によって特定される前記支払人の住所を前記受取人に通知可能に出力する、ことを特徴とする。
【００１２】
また、この発明にかかる支払支援装置は、上記発明において、前記支払人のカード情報は、前記支払人を特定する情報を含み、前記出力部は、前記支払人のカード情報によって特定される支払人がイベントに出席したことを前記受取人に通知可能に出力する、ことを特徴とする。
【００１３】
また、この発明にかかる支払支援装置は、上記発明において、前記出力部は、前記支払人毎に応じたイベントに関する情報の中から、前記支払人のカード情報によって特定される支払人に応じたイベントに関する情報を出力する、ことを特徴とする。
【００１４】
また、この発明にかかる支払支援方法は、受取人が開催するイベントの会場において、所定の機関を介して前記受取人に支払う所望の金額を支払人から受け付け、前記所定の機関を介して前記支払人が支払をおこなうことが可能なカードのカード情報を取得し、前記所定の機関を介して前記支払人が前記受取人に支払う支払先に、前記支払人のカード情報に応じた前記所望の金額の支払を実行する旨の要求を前記所定の機関におこない、前記要求によって前記受取人に支払われた支払結果を出力する、処理をコンピュータが実行することを特徴とする。
【００１５】
また、この発明にかかる支払支援プログラムは、受取人が開催するイベントの会場において、所定の機関を介して前記受取人に支払う所望の金額を支払人から受け付け、前記所定の機関を介して前記支払人が支払をおこなうことが可能なカードのカード情報を取得し、前記所定の機関を介して前記支払人が前記受取人に支払う支払先に、前記支払人のカード情報に応じた前記所望の金額の支払を実行する旨の要求を前記所定の機関におこない、前記要求によって前記受取人に支払われた支払結果を出力する、処理をコンピュータに実行させることを特徴とする。
【発明の効果】
【００１６】
この発明にかかる支払支援装置、支払支援方法、および支払支援プログラムによれば、イベントにかかわる人の負担を軽減することができるという効果を奏する。
【図面の簡単な説明】
【００１７】
【図１Ａ】実施の形態にかかる支払支援システム１００のシステム構成例を示す説明図である。
【図１Ｂ】カードリーダ装置１１２の構成例を示す説明図である。
【図２】カードリーダ装置１１２のハードウエア構成の一例を示すブロック図である。
【図３Ａ】式情報ＤＢ１１５の記憶内容の一例を示す説明図である。
【図３Ｂ】招待者情報ＤＢ１１６の記憶内容の一例を示す説明図である。
【図４Ａ】クレジットカードによって祝儀の支払がおこなわれる際の手順を示す説明図である。
【図４Ｂ】支払支援システム１００の機能的構成を示す説明図である。
【図５Ａ】式場端末１１１のディスプレイに表示される表示画面例を示す説明図（その１）である。
【図５Ｂ】カードリーダ装置１１２のディスプレイに表示される表示画面例を示す説明図（その１）である。
【図５Ｃ】カードリーダ装置１１２のディスプレイに表示される表示画面例を示す説明図（その２）である。
【図５Ｄ】カードリーダ装置１１２による印字例を示す説明図である。
【図５Ｅ】式場端末１１１のディスプレイに表示される表示画面例を示す説明図（その２）である。
【図６】カードリーダ装置１１２の情報登録処理手順の一例を示すフローチャートである。
【図７】カードリーダ装置１１２の支払支援処理手順の一例を示すフローチャートである。
【発明を実施するための形態】
【００１８】
以下に図面を参照して、この発明にかかる支払支援装置、支払支援方法、および支払支援プログラムの実施の形態を詳細に説明する。
【００１９】
（支払支援システムのシステム構成）
まず、実施の形態にかかる支払支援システム１００のシステム構成例について説明する。図１Ａは、実施の形態にかかる支払支援システム１００のシステム構成例を示す説明図である。図１Ａにおいて、支払支援システム１００は、式場端末１１１と、カードリーダ装置１１２と、カード会社サーバ１２１と、を有する。
【００２０】
式場端末１１１は、結婚式場１１０のスタッフ等が使用するパーソナルコンピュータなどの汎用的なコンピュータ装置であり、一または複数ある。式場端末１１１は、結婚式の主催者（新郎新婦）や、各結婚式の開催日時などを管理する。式場端末１１１は、たとえば、デスクトップ型ＰＣ（Ｐｅｒｓｏｎａｌ  Ｃｏｍｐｕｔｅｒ）、タブレット型ＰＣ、ノートＰＣ、スマートフォンなどである。
【００２１】
式場端末１１１は、ＣＰＵ（Ｃｅｎｔｒａｌ  Ｐｒｏｃｅｓｓｉｎｇ  Ｕｎｉｔ）やメモリやインタフェースなどを有する。また、式場端末１１１は、式情報ＤＢ（Ｄａｔａｂａｓｅ）１１５と、招待者情報ＤＢ１１６と、を有する。式情報ＤＢ１１５および招待者情報ＤＢ１１６の記憶内容については、図３Ａおよび図３Ｂを用いて後述する。
【００２２】
カードリーダ装置１１２は、この発明にかかる支払支援装置の一例であり、たとえば、結婚式場の入口や受付に配置される。カードリーダ装置１１２は、たとえば、招待者１１３のクレジットカード１１４のカード情報を読み取り、カード会社サーバ１２１に各種照会をおこなう。照会の結果、支払が可能であれば、招待者１１３によって指定された金額（祝儀）がカード会社１２０を介して主催者１４０に支払われる。
【００２３】
また、カードリーダ装置１１２は、式場端末１１１に接続され、式場端末１１１から、結婚式の主催者の情報や結婚式の開催日時の情報などが登録される。カードリーダ装置１１２は、ＣＰＵやメモリやインタフェースなどを有する。なお、この発明にかかる支払支援装置は、カードリーダ装置１１２によって実現されることとするが、これに限らず、たとえば、式場端末１１１やカード会社サーバ１２１などによって実現することも可能である。
【００２４】
カード会社サーバ１２１は、カード会社１２０のサーバであり、クレジットカードを所有する所有者毎のカードに関する情報や支払額を管理するパーソナルコンピュータなどの汎用的なコンピュータ装置である。カード会社サーバ１２１は、ＣＰＵやメモリやインタフェースなどを有する。カード会社サーバ１２１は、結婚式の主催者１４０である新郎新婦の個人口座１４１に、招待者１１３から受け付けた金額を招待者１１３のカード情報に応じて入金する。
【００２５】
支払支援システム１００において、式場端末１１１と、カードリーダ装置１１２と、カード会社サーバ１２１とは、有線または無線のネットワーク１３０を介して接続される。ネットワーク１３０は、たとえば、インターネット、移動体通信網、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などである。
【００２６】
カードリーダ装置１１２には、この発明にかかる支払支援プログラムがインストールされている。カードリーダ装置１１２は、式場端末１１１、カード会社サーバ１２１および招待者１１３からの各種要求に応じた処理をおこない、式場端末１１１、カード会社サーバ１２１および招待者１１３に対して処理結果を出力する。
【００２７】
（カードリーダ装置１１２の構成）
つぎに、カードリーダ装置１１２の構成例について説明する。図１Ｂは、カードリーダ装置１１２の構成例を示す説明図である。図１Ｂにおいて、カードリーダ装置１１２は、読取部１５０と、操作入力部１５１と、ディスプレイ１５２と、印字出力部１５３と、を有する。読取部１５０は、挿入されたクレジットカードのカード情報を読み取る。
【００２８】
クレジットカードは、磁気カードでもよいし、ＩＣ（Ｉｎｔｅｇｒａｔｅｄ  Ｃｉｒｃｕｉｔ）カードでもよい。読取部１５０は、クレジットカードに接触して読み取る接触型でもよいし、非接触で読み取る非接触型でもよい。また、接触型の場合、読取部１５０は、クレジットカードを挿入する挿入式でもよいし、スリットの一方から他方へスライドさせるスライド式でもよい。
【００２９】
操作入力部１５１は、テンキー１５１ａと、印刷ボタン１５１ｂと、決定ボタン１５１ｃとを有する。テンキー１５１ａは、たとえば、招待者からクレジットカードの暗証番号を受け付ける。印刷ボタン１５１ｂは、招待者から印刷の実行を受け付ける。決定ボタン１５１ｃは、表示された内容の確定を受け付ける。
【００３０】
ディスプレイ１５２は、支払先の情報や、支払人である招待者のカードの登録情報などを表示する。ディスプレイ１５２は、タッチパネルの機能も有する。印字出力部１５３は、招待者に印刷ボタン１５１ｂが操作されることにより、ディスプレイ１５２に表示された内容を印字した用紙を出力する。
【００３１】
（カードリーダ装置１１２のハードウエア構成の一例）
つぎに、カードリーダ装置１１２のハードウエアについて、その具体的な構成の一例を説明する。図２は、カードリーダ装置１１２のハードウエア構成の一例を示すブロック図である。図２において、カードリーダ装置１１２は、ＣＰＵ２１１と、メモリ２１２と、出力部２１３と、入力部２１４と、通信ＩＦ（Ｉｎｔｅｒｆａｃｅ）２１５と、を備える。また、カードリーダ装置１１２が備える各部２１１〜２１５は、バス２１０によってそれぞれ接続されている。
【００３２】
ＣＰＵ２１１は、カードリーダ装置１１２の全体の制御をつかさどる。ＣＰＵ２１１は、メモリ２１２が記憶する各種のプログラムやデータを用いて、カードリーダ装置１１２の全体の制御をつかさどる。メモリ２１２は、ハードディスクやフラッシュメモリなどによって実現することができる。
【００３３】
出力部２１３は、たとえば、図１Ｂのディスプレイ１５２や印字出力部１５３などを含む。ディスプレイは、支払に関する各種の操作画面を表示する。ディスプレイは、たとえば、主に液晶ディスプレイや有機ＥＬ（Ｅｌｅｃｔｒｏ−Ｌｕｍｉｎｅｓｃｅｎｃｅ）ディスプレイなどによって実現することができる。
【００３４】
カードリーダ装置１１２は、ディスプレイ１５２に表示された内容を所定の紙面に印字するプリンタ機能を有する。図１Ｂの印字出力部１５３は、プリンタ機能によって印字された印字紙を出力する。また、出力部２１３は、スピーカを含んでもよい。スピーカは、操作内容や、利用者に対する案内情報などを表示する。スピーカは、音声、アラーム音などを出力する。
【００３５】
入力部２１４は、たとえば、図１Ｂの読取部１５０や操作入力部１５１を含む。読取部１５０は、招待者が提示するクレジットカードから、カード番号等のカードの情報を読み取る。操作入力部１５１は、文字、数値、各種指示などの入力のためのキーを備え、招待者からの操作入力を受け付ける。
【００３６】
また、入力部２１４は、たとえば、タッチパネルによって実現される。タッチパネルは、ディスプレイの表示面側に積層される。タッチパネルは、指やペンなどの筆記部材が接触したことを検出した場合に、タッチパネルに対する筆記部材の接触位置に応じた電気信号を出力する。タッチパネルは、たとえば抵抗膜方式や静電容量方式、音響パルス認識方式、超音波表面弾性波方式、赤外遮光方式、画像認識方式など公知の各種の方式のものを用いることができる。
【００３７】
また、入力部２１４は、カメラを含んでもよい。カメラは、ＣＰＵ２１１によって制御されて撮像対象を撮像し、画像データを生成したり、ＯＣＲ（Ｏｐｔｉｃａｌ  Ｃｈａｒａｃｔｅｒ  Ｒｅａｄｅｒ）機能を用いて撮影した文字をデータ化して入力したりすることができる。
【００３８】
また、入力部２１４は、マイクを含んでもよい。マイクは、アナログデータとして入力された話者の声をアナログ／デジタル変換し、デジタル形式の音声データを生成する。マイクを用いることにより、利用者は、タッチパネルやキーボードを用いる代わりに、文字などの入力をおこなうことができる。通信ＩＦ２１５は、カードリーダ装置１１２の内部と、式場端末１１１やカード会社サーバ１２１などの外部装置とのインタフェースをつかさどる。
【００３９】
（式情報ＤＢ１１５および招待者情報ＤＢ１１６の記憶内容）
つぎに、図３Ａおよび図３Ｂを用いて、図１Ａに示した式場端末１１１が有する式情報ＤＢ１１５および招待者情報ＤＢ１１６の記憶内容について説明する。式情報ＤＢ１１５および招待者情報ＤＢ１１６は、たとえば、メモリなどの記憶部により実現される。
【００４０】
図３Ａは、式情報ＤＢ１１５の記憶内容の一例を示す説明図である。図３Ａにおいて、式情報ＤＢ１１５は、式ＩＤ（Ｉｄｅｎｔｉｆｉｃａｔｉｏｎ）、主催者、会場、時間、および口座情報のフィールドを有する。各フィールドに情報を設定することで、式情報（たとえば、式情報３００−１〜３００−３）のレコードが記憶される。
【００４１】
式ＩＤは、開催する結婚式毎に付される識別情報を示す。主催者は、各結婚式の主催者（たとえば、新郎）の氏名を示す。会場は、各結婚式が行われる場所を示す。時間は、各結婚式の開催日時を示す。口座情報は、金融機関コードや支店番号や口座番号などを含み、カード会社からの支払がおこなわれる入金先を示す。
【００４２】
たとえば、式情報３００−１は、式ＩＤ「Ａ００１」、主催者「総研総太郎」、会場「３階○場」、時間「３月２０日１３時」、口座情報「○○○○、○○○、○○○○○○○」を示す。また、式ＩＤ「Ａ００１」以外の他の結婚式の式情報３００−２，３００−３についても、同様に、式情報ＤＢ１１５に記憶される。
【００４３】
式情報３００は、たとえば、結婚式場のスタッフと主催者とが結婚式の打合せにおいて決定した事項や主催者が申し出た事項が入力される。たとえば、式情報３００は、式場端末１１１を介して結婚式場のスタッフによって入力されてもよいし、主催者が有する主催者端末を介して主催者によって入力されてもよい。
【００４４】
図３Ｂは、招待者情報ＤＢ１１６の記憶内容の一例を示す説明図である。図３Ｂにおいて、招待者情報ＤＢ１１６は、式ＩＤ、招待者氏名、祝儀の額、住所、日付、および席番号、を有する。各フィールドに情報を設定することで、招待者情報（たとえば、招待者情報３１０−１〜３１０−５）のレコードが記憶される。
【００４５】
式ＩＤは、結婚式毎に付される識別情報を示し、式情報ＤＢ１１５（図３Ａ参照）に記憶される式ＩＤに対応する。招待者氏名は、主催者が結婚式に招待する招待者の氏名を示す。祝儀の額は、招待者から主催者への祝儀の金額であり、クレジットカードによって支払われる所望の金額を示す。住所は、招待者の住所を示す。日付は、クレジットカードによって主催者の口座に祝儀が入金された日付を示す。席番号は、結婚式において各招待者が座る席の番号を示す。
【００４６】
祝儀の額は、カードリーダ装置１１２から、招待者によって入力される。また、氏名や住所は、招待者がカード番号等のカード情報を入力することにより、カード情報から特定される氏名や住所を、カード会社サーバ１２１から受信することにより入力されるが、これに限らず、招待者の操作により入力されてもよい。
【００４７】
また、日付は、クレジットカードによって主催者の口座に祝儀が入金されると、式場端末１１１により自動的に登録される。また、席番号は、結婚式場のスタッフと主催者とが結婚式の打合せにおいて決定され、式場端末１１１を介して結婚式場のスタッフや招待者によって入力されてもよいし、主催者端末から主催者によって入力されてもよい。
【００４８】
たとえば、招待者情報３１０−１は、式ＩＤ「Ａ００１」、招待者氏名「祝山太郎」、祝儀の額「￥３００００」、住所「東京都…」、日付「３／２０」、席番号「５」を示す。他の招待者情報３１０−２〜５についても、同様に、招待者情報ＤＢ１１６に記憶される。
【００４９】
（クレジットカードによって祝儀の支払がおこなわれる際の手順について）
図４Ａは、クレジットカードによって祝儀の支払がおこなわれる際の手順を示す説明図である。以下の説明において示す番号は、図４Ａに示す番号に対応する。図４Ａに示す支払支援システム１００において、（１）主催者１４０は、祝儀が入金される口座（個人口座１４１）を指定する。口座の指定は、具体的には、式情報３００（図３Ａ参照）のうちの口座情報の指定である。（２）個人口座１４１は、結婚式場１１０に通知される。これにより、式情報３００（図３Ａ参照）のうちの口座情報が式情報ＤＢ１１５に記憶される。
【００５０】
ここで、結婚式場１１０と、カード会社１２０とは、クレジットカードの加盟店契約がされていることを前提とする。加盟店契約とは、クレジットカードにより結婚式場１１０の支払をおこなうことが可能であるという契約である。クレジットカードによる支払は、支払人が所有するクレジットカードのカード情報に応じてカード会社１２０が支払を一旦立替え、後日、カード会社１２０から支払人に立替えた分を請求することにより、支払人から受取人に支払われることとなる。
【００５１】
（３）そして、結婚式場１１０は、カード会社１２０に対して、主催者１４０を個人加盟店として登録する旨を要求する。個人加盟店として登録する旨の要求があると、（４）カード会社１２０と主催者１４０とは、個人加盟店の契約をおこなう。カード会社１２０と主催者１４０との間で個人加盟店の契約が交わされると、式場端末１１１は、カード会社１２０から送信された個人加盟店の情報を記憶し、式場端末１１１のディスプレイに（５）個人加盟店の情報を表示可能とする。具体的には、式場端末１１１は、式情報３００（図３Ａ参照）のうちの口座情報を登録し、個人加盟店の情報としての口座情報を表示可能とする。
【００５２】
（６）そして、式場端末１１１は、カードリーダ装置１１２に個人加盟店情報の設定をおこなうことが可能となる。個人加盟店（支払先）が設定されると、（７）カード会社１２０は、主催者１４０の主催者端末に口座情報等の設定を確認するための設定確認メールを送信する。主催者がメールの内容を確認して、誤り等がなければ、設定された内容が確定する。一方で、メールの内容に誤り等があれば、主催者が修正することにより、または、主催者１４０から結婚式場１１０やカード会社１２０にその旨を通知することにより、設定内容が変更される。
【００５３】
（８）結婚式の当日に、招待者１１３がクレジットカード１１４を持参して結婚式場１１０を訪れて、結婚式場１１０に設けられるカードリーダ装置１１２にクレジットカード１１４を挿入して、所定の操作をおこなうことによって、祝儀の支払手続が開始される。
【００５４】
また、カードリーダ装置１１２における祝儀の支払手続が開始されると、（９）カードリーダ装置１１２は、祝儀の額に相当する支払データ（売上票）をカード会社１２０に送信する。（１０）そして、カード会社１２０は、主催者１４０の個人口座１４１に祝儀の支払いをおこなうとともに、（１１）主催者１４０に入金の内容を示す明細書を送付する。
【００５５】
（１２）また、カードリーダ装置１１２では、祝儀の支払手続が完了すると、祝儀の支払がおこなわれた旨を示す支払証明書４０１を出力する。そして、招待者１１３は、支払証明書４０１を祝儀袋４０２に収納して、主催者１４０に提示することができる。
【００５６】
このようにして、支払支援システム１００では、招待者１１３は、現金を用いずに、クレジットカードによって祝儀を主催者１４０に支払うことが可能である。
【００５７】
（支払支援システム１００の機能的構成）
図４Ｂは、支払支援システム１００の機能的構成を示す説明図である。図４Ｂにおいて、支払支援システム１００は、式場端末１１１と、カードリーダ装置１１２と、カード会社サーバ１２１と、を有する。カードリーダ装置１１２は、受付部４１１と、取得部４１２と、要求部４１３と、出力部４１４と、記憶部４２０と、を有する。
【００５８】
受付部４１１と、取得部４１２と、要求部４１３と、出力部４１４とは、たとえば、カードリーダ装置１１２のメモリに記憶されたプログラムをＣＰＵに実行させることにより、その機能を実現する。各機能部の処理結果は、たとえば、カードリーダ装置１１２のメモリなどの記憶装置に記憶される。また、記憶部４２０は、カードリーダ装置１１２のメモリなどの記憶装置によって実現される。
【００５９】
記憶部４２０は、所定の機関を介して支払人が受取人に支払う支払先を示す情報を記憶する。所定の機関は、たとえば、与信取引をおこなう与信機関であるが、銀行等の金融機関であってもよい。与信取引は、支払人が支払う金額をカード会社１２０が立て替えて支払い、後日、支払人がカード会社１２０に返済する取引である。与信機関は、たとえば、カード会社１２０である。与信機関を介する支払は、たとえば、クレジットカードによる取引である。受取人は、イベントを主催する主催者である。イベントは、たとえば、結婚式であるが、これに限らず、葬式や募金や寄付などのイベントでもよい。結婚式における主催者は、新郎新婦のいずれかである。
【００６０】
また、主催者は、たとえば、与信機関において加盟店として登録されているものとする。加盟店は、商品の譲渡やサービスの提供に対する対価を、クレジットカードの提示によってカード会社１２０から支払を受ける店舗である。登録される加盟店は、たとえば、個人加盟店とする。たとえば、加盟店としての主催者は、形式的には、招待者からのクレジットカードの提示により、結婚式におけるサービスの提供に対する対価（祝儀）がカード会社１２０から支払われる店舗に相当する。
【００６１】
加盟店の登録をおこなう手続は、たとえば、結婚式場１１０がカード会社１２０に依頼することによっておこなわれる。また、カード会社１２０と主催者１４０との間で個人加盟店の契約がおこなわれる。
【００６２】
また、支払先を示す情報は、主催者の口座情報そのものでもよいし、式情報３００（図３Ａ参照）でもよく、具体的には、口座情報に対応付けられる主催者の氏名の情報や、結婚式の会場の情報や、結婚式の時間の情報を含んでもよい。支払先を示す情報は、具体的には、加盟店として登録された主催者の個人口座の情報である。支払人は、たとえば、結婚式であれば招待者である。
【００６３】
また、記憶部４２０は、式情報３００（図３Ａ参照）や招待者情報３１０（図３Ｂ参照）を記憶する。式情報３００は、たとえば、式場端末１１１から入力される。また、招待者情報３１０のうち、氏名や席番号については式場端末１１１から入力され、祝儀の額については招待者から操作入力され、住所についてはカード会社サーバ１２１から入力され、日付についてはカードリーダ装置１１２が有する時計機能によって入力される。なお、記憶部４２０は、カードリーダ装置１１２に含まれるが、カードリーダ装置１１２に含まれずに、式場端末１１１や、カード会社サーバ１２１に含まれることとしてもよい。
【００６４】
受付部４１１は、主催者が開催するイベントの会場においてカード会社１２０を介して主催者に支払う所望の金額を招待者本人から受け付ける。所望の金額は、招待者の意思に基づく任意の金額であり、結婚式における祝儀の額である。なお、葬式の場合には、所望の金額は、香典の額である。また、受付部４１１が所望の金額を招待者から受け付ける際に、カードリーダ装置１１２は、主催者の氏名の情報や、結婚式の会場の情報や、結婚式の時間の情報を招待者に提示し、招待者に支払先を確認させる。
【００６５】
取得部４１２は、カード会社１２０を介して招待者が支払をおこなうことが可能なカードのカード情報を取得する。カード情報は、たとえば、カードリーダ装置１１２が有する所定の読取部から読み取られることによって取得されるが、これに限らず、通信によって取得されることとしてもよい。カードは、たとえば、クレジットカードであるが、デビットカードやプリペイドカードであってもよい。なお、各カードは、決済の時期が異なり、具体的には、クレジットカードの場合は事後決済であり、デビットカードの場合は即時決済であり、プリペイドカードの場合は事前決済である。カード情報は、たとえば、クレジットカードの番号、有効期限、氏名などを含む。
【００６６】
要求部４１３は、記憶部４２０に記憶された支払先の情報が示す支払先に、カード情報に応じた所望の金額の支払を実行する旨の要求をカード会社１２０（カード会社サーバ１２１）におこなう。要求部４１３による要求は、たとえば、招待者による実行開始の操作指示によっておこなわれる。カード会社１２０は、当該要求があると、祝儀の額に相当する分のクレジットカードの利用が可能な場合に、主催者の口座に祝儀を支払う。具体的には、たとえば、カード会社１２０は、クレジットカードの月々の利用可能な金額を示す与信枠のうち、祝儀の金額分の空きがある場合にその金額分を決済用に確保するとともに、主催者の口座に祝儀を支払う。これにより、主催者は、祝儀の金額を得ることができる。
【００６７】
また、記憶部４２０は、主催者毎に異なる支払先を示す複数の情報を記憶する。主催者毎に異なる支払先を示す複数の情報は、たとえば、同一の結婚式場において、複数の結婚式が開催される場合における複数の主催者毎の支払先を示す情報である。受付部４１１は、結婚式場において、記憶部４２０に記憶される複数の情報が示す複数の支払先のうちのいずれかの支払先を招待者から受け付ける。受付部４１１は、招待者に提示した複数の支払先の中から招待者が一の支払先を選択することにより、いずれかの支払先を受け付ける。
【００６８】
要求部４１３は、受付部４１１によって受け付けられた支払先に、カード情報に応じた祝儀の金額の支払をカード会社１２０（カード会社サーバ１２１）に要求する。これにより、カード会社１２０は、当該要求があると、受け付けられた支払先にカード情報に応じて祝儀を支払うことができる。
【００６９】
要求部４１３は、所定の機関を介して支払人が受取人に支払う支払先に、支払人のカード情報に応じた所望の金額の支払いを実行する旨の要求を所定の機関におこなう。カードは、クレジットカード、銀行キャッシュカードまたはプリペイドカードのいずれでもよい。ここで、各カードを用いた場合における要求部４１３の具体的な処理について以下に説明する。
【００７０】
カードをクレジットカードとした場合、要求部４１３は、カード情報に応じた祝儀の金額の支払いをカード会社１２０（カード会社サーバ１２１）に要求する。また、カードを銀行キャッシュカードとした場合、要求部４１３は、カード情報に応じた祝儀の金額の支払いを不図示の銀行（銀行サーバ）に支払人の口座から受取人の口座へ入金するように要求する。
【００７１】
また、カードをプリペイドカードとした場合、要求部４１３は、支払人のプリペイドカードから減額し、カード情報に応じた祝儀の金額の支払いを不図示の銀行（銀行サーバ）に受取人の口座へ入金するように要求する。以上により、カード会社１２０または銀行は、要求部４１３からの要求があると、受け付けられた支払先にカード情報に応じた祝儀を支払うことができる。
【００７２】
また、異なるクレジットカードが使用される複数の異なるカード会社１２０が存在する場合、要求部４１３は、取得部４１２によって取得されたカード情報に対応するカード会社１２０に祝儀の金額の支払を要求すればよい。
【００７３】
また、出力部４１４は、要求部４１３の要求によって主催者に支払われた支払結果を出力する。支払結果は、支払先としての主催者、祝儀の金額、日時などの情報を含み、ディスプレイに表示出力される。また、出力部４１４は、支払結果を印字出力する。印字出力した用紙は、支払証明書として用いることが可能である。招待者は、支払証明書を祝儀袋（葬式の場合は香典袋）に入れて、儀式的に主催者に提出することができる。
【００７４】
ここで、一般的に、主催者は、結婚式後に招待者に対して礼状や年賀状などを送付するため、招待者の住所情報を入手するが、本実施の形態にかかる、住所情報の入手について説明する。カード情報は、招待者の住所を特定する情報を含む。招待者の住所を特定する情報は、たとえば、カード会社１２０において、招待者の住所情報に対応付けられている情報であり、カード番号、氏名、生年月日の情報を含む。受付部４１１は、住所を主催者に通知するか否かの選択を受け付ける。
【００７５】
出力部４１４は、受付部４１１によって受け付けられた選択結果に応じて、カード情報によって特定される住所を主催者に通知可能に出力する。主催者に通知可能に出力するとは、たとえば、主催者が有する主催者端末や式場端末１１１に送信して、各端末において表示させることであり、表示させる際に、アラーム等で通知してもよいし、主催者端末からの閲覧要求があった場合に通知してもよい。
【００７６】
また、受付部４１１は、カード会社１２０を介して招待者に支払われた祝儀の金額の返済態様を、一括の返済態様とするか、または一括の返済態様とは異なる返済態様とするかを招待者から受け付ける。一括の返済態様は、所定の支払期日に招待者の口座から全額を引落すことである。また、一括の返済態様とは異なる返済態様は、たとえば、祝儀の金額を分割して支払う分割払いや、毎月予め指定した一定額を返済するリボルビング払いがある。
【００７７】
また、カード情報は、招待者を特定する情報を含む。招待者を特定する情報は、招待者の氏名を特定する情報であり、たとえば、カード会社１２０において、カード番号や生年月日の情報を含む。出力部４１４は、カード情報によって特定される招待者が結婚式に出席したことを主催者に通知可能に出力する。
【００７８】
また、記憶部４２０は、招待者毎に応じたイベントに関する情報を記憶する。招待者毎に応じたイベントに関する情報は、たとえば、招待者の席までの案内図を含む席の情報であるが、招待者へのメッセージや、招待者毎にお礼の品が異なる場合にはお礼の品を示す情報なども含む。
【００７９】
出力部４１４は、記憶部４２０に記憶される招待者毎に応じたイベントに関する情報の中から、カード情報によって特定される招待者に応じたイベントに関する情報を出力する。たとえば、出力部４１４は、招待者毎の席情報として、たとえば、招待者が座る席番号、会場までの案内図の情報や、席の配置図の情報を出力する。出力部４１４は、これらの情報を表示画面に表示し、印字出力することも可能である。
【００８０】
（式場端末１１１の表示画面例）
図５Ａは、式場端末１１１のディスプレイに表示される表示画面例を示す説明図（その１）である。図５Ａの表示画面５１０は、カードリーダ装置１１２に登録する支払先設定画面を示す。表示画面５１０には、式場情報や、主催者情報が入力可能に表示されている。式場情報は、開催する会場を示す場所と、開催日時を示す時間とを含み、それぞれ、結婚式場のスタッフと主催者との打合せに基づく内容が入力される。式場情報は、式情報ＤＢ１１５（図３Ａ参照）の式情報３００のうち、主催者と、会場と、時間と、に対応する内容である。
【００８１】
主催者情報は、招待者１１３からの祝儀がクレジットカードによる支払手続がおこなわれた際に入金される口座を示し、具体的には、名義人と、銀行口座と、有効時間とを含む。名義人は、主催者である。銀行口座は、金融機関と、支店名と、口座番号とを含み、それぞれ、主催者からの申し出に基づく内容が入力される。主催者情報は、式情報ＤＢ１１５（図３Ａ参照）の式情報３００のうち、主催者と、口座情報と、に対応する内容である。
【００８２】
有効時間は、たとえば、招待者がクレジットカードにより祝儀を支払うことが可能な期間を示す。登録ボタン５１１が選択されると、表示画面５１０に示した内容が、カードリーダ装置１１２に登録される。図５Ａにおいては、主催者が「総研総太郎」の結婚式における支払先設定画面を示したが、他の主催者についても同様に、支払先設定画面から登録がおこなわれる。これにより、カードリーダ装置１１２には、結婚式場内において、複数の結婚式が開催される場合における複数の主催者毎の式情報３００（図３Ａ参照）を記憶することができる。
【００８３】
（カードリーダ装置１１２の表示画面例）
図５Ｂは、カードリーダ装置１１２のディスプレイに表示される表示画面例を示す説明図（その１）である。図５Ｂの表示画面５２０は、招待者が参加する結婚式を選択する画面を示す。表示画面５２０には、式情報ＤＢ１１５（図３Ａ参照）の式情報３００のうち、主催者と、会場と、時間に対応する内容が表示されている。招待者が該当するものをタッチパネルにより選択するか、該当する番号を選択して決定ボタン１５１ｃを操作すると、図５Ｃに示す祝儀を納める画面に移行する。
【００８４】
図５Ｃは、カードリーダ装置１１２のディスプレイに表示される表示画面例を示す説明図（その２）である。図５Ｃの表示画面５３０は、招待者がクレジットカードにより祝儀を支払う際の手続中の画面を示す。表示画面５３０には、祝儀の金額と、主催者情報（受取人情報）と、招待者情報（支払人情報）とが表示されている。祝儀の金額は、招待者がテンキー１５１ａを操作することによって入力される。主催者情報は、表示画面５２０（図５Ｂ参照）において招待者が選択した主催者の支払先に関する情報である。招待者情報は、クレジットカードのカード情報により特定される内容であり、招待者の氏名や、カード番号や、住所を含む。
【００８５】
また、表示画面５３０は、住所について、主催者に提示を許可するか否かの質問表示がされており、招待者がタッチパネルで選択するか、招待者がテンキー１５１ａの「１」か「２」を操作することにより、住所の提示の可否を選択することができる。また、表示画面５３０は、返済態様について、いずれの返済態様とするかの質問表示がされており、招待者がタッチパネルで選択するか、招待者がテンキー１５１ａの「１」か「２」を操作することにより、１回払いの返済態様か、複数回払いの返済態様を選択することができる。また、招待者が印刷ボタン１５１ｂを操作すると、カードリーダ装置１１２は、表示画面５２０に表示される祝儀の額に応じた内容を印字出力する。
【００８６】
（カードリーダ装置１１２による印字例）
図５Ｄは、カードリーダ装置１１２による印字例を示す説明図である。図５Ｄの支払証明書４０１は、クレジットカードによって招待者から主催者に祝儀が支払われた旨を示す。招待者が支払証明書４０１を祝儀袋４０２（図４Ａ参照）に入れて、主催者に提示することもできる。
【００８７】
（式場端末１１１の表示画面例）
図５Ｅは、式場端末１１１のディスプレイに表示される表示画面例を示す説明図（その２）である。図５Ｅの表示画面５５０は、クレジットカードによって主催者に祝儀を支払った招待者および祝儀の額の一覧を示す。なお、表示画面５５０は、式場端末１１１に限らず、主催者が有する主催者端末において閲覧可能としてもよい。
【００８８】
表示画面５５０には、招待者と、祝儀の額と、住所と、日付とが表示されている。招待者は、クレジットカードによって祝儀を支払った招待者である。祝儀の額は、クレジットカードによって支払った金額である。住所は、招待者の住所であり、たとえば、カード情報によって特定することが可能であり、表示画面５３０（図５Ｃ参照）において招待者が住所の提示に了承する選択をおこなうことによって転用される。日付は、招待者が祝儀をカード決済した日付を示す。表示画面５５０に表示される情報は、招待者情報ＤＢ１１６（図３Ｂ参照）の招待者情報３１０のうち、招待者氏名と、祝儀の額と、住所と、時間と、に対応する内容である。
【００８９】
（カードリーダ装置１１２の情報登録処理手順）
図６は、カードリーダ装置１１２の情報登録処理手順の一例を示すフローチャートである。図６のフローチャートにおいて、カードリーダ装置１１２は、式場端末１１１から式情報の登録要求を受け付けたか否かを判断する（ステップＳ６０１）。カードリーダ装置１１２は、式場端末１１１から式情報の登録要求を受け付けるまで待つ（ステップＳ６０１：Ｎｏ）。
【００９０】
そして、カードリーダ装置１１２は、式場端末１１１から式情報の登録要求を受け付けた場合（ステップＳ６０１：Ｙｅｓ）、式情報ＤＢ１１５（図３Ａ参照）に式情報３００を登録する（ステップＳ６０２）。そして、カードリーダ装置１１２は、受け付けた情報に招待者情報が含まれるか否かを判断する（ステップＳ６０３）。
【００９１】
カードリーダ装置１１２は、受け付けた情報に招待者情報（招待者氏名と席番号）が含まれない場合（ステップＳ６０３：Ｎｏ）、本フローチャートによる一連の処理を終了する。カードリーダ装置１１２は、受け付けた情報に招待者情報（招待者氏名と席番号）が含まれる場合（ステップＳ６０３：Ｙｅｓ）、招待者情報ＤＢ１１６に招待者情報３１０（招待者氏名と席番号）を登録し（ステップＳ６０４）、本フローチャートによる一連の処理を終了する。
【００９２】
（カードリーダ装置１１２の支払支援処理手順）
図７は、カードリーダ装置１１２の支払支援処理手順の一例を示すフローチャートである。図７のフローチャートにおいて、カードリーダ装置１１２は、クレジットカードが挿入されたか否かを判断する（ステップＳ７０１）。カードリーダ装置１１２は、クレジットカードが挿入されるまで待つ（ステップＳ７０１：Ｎｏ）。
【００９３】
そして、カードリーダ装置１１２は、クレジットカードが挿入された場合（ステップＳ７０１：Ｙｅｓ）、クレジットカードのカード情報を読み取る（ステップＳ７０２）。そして、カードリーダ装置１１２は、支払先を提示する（ステップＳ７０３）。支払先を提示する画面は、たとえば、表示画面５２０（図５Ｂ参照）である。
【００９４】
つぎに、カードリーダ装置１１２は、支払先（主催者）や、祝儀の金額、住所提供の可否、返済態様等を受け付ける（ステップＳ７０４）。これらを受け付ける画面は、たとえば、表示画面５３０（図５Ｃ参照）である。
【００９５】
そして、カードリーダ装置１１２は、与信取引の実行を受け付けたか否かを判断する（ステップＳ７０５）。与信取引の実行を受け付けるとは、たとえば、表示画面５３０（図５Ｃ参照）において、決定ボタン１５１ｃが選択されることである。カードリーダ装置１１２は、与信取引の実行を受け付けない場合（ステップＳ７０５：Ｎｏ）、ステップＳ７０４に移行する。
【００９６】
カードリーダ装置１１２は、与信取引の実行を受け付けた場合（ステップＳ７０５：Ｙｅｓ）、カード会社サーバ１２１に与信取引の実行を要求する（ステップＳ７０６）。そして、カードリーダ装置１１２は、カード会社サーバ１２１から与信取引の実行結果を受信する（ステップＳ７０７）。そして、カードリーダ装置１１２は、招待者毎のイベントに関する情報として、招待者の席や会場の案内を通知する（ステップＳ７０８）。
【００９７】
また、カードリーダ装置１１２は、主催者の主催者端末や式場端末１１１に、招待者が結婚式に出席した旨の情報を送信する（ステップＳ７０９）。これにより、主催者端末や式場端末１１１において、主催者や結婚式場のスタッフに、招待者が結婚式に出席した旨を通知することができる。
【００９８】
つぎに、カードリーダ装置１１２は、印刷の実行を受け付けたか否かを判断する（ステップＳ７１０）。カードリーダ装置１１２は、印刷の実行を受け付けない場合（ステップＳ７１０：Ｎｏ）、ステップＳ７１２に移行する。カードリーダ装置１１２は、印刷の実行を受け付けた場合（ステップＳ７１０：Ｙｅｓ）、祝儀を納めた旨を示す支払証明書４０１（図５Ｄ参照）の印刷を実行する（ステップＳ７１１）。
【００９９】
つぎに、カードリーダ装置１１２は、手続終了か否かを判断する（ステップＳ７１２）。手続終了は、所定時間の経過や、招待者によって終了を示す操作入力がおこなわれることである。カードリーダ装置１１２は、手続終了ではない場合（ステップＳ７１２：Ｎｏ）、ステップＳ７１０に移行する。カードリーダ装置１１２は、手続終了である場合（ステップＳ７１２：Ｙｅｓ）、本フローチャートによる一連の処理を終了する。
【０１００】
以上説明したように、実施の形態にかかるカードリーダ装置１１２は、結婚式場において祝儀の金額を招待者から受け付けて、カード会社１２０にカード情報に応じた祝儀の金額の支払を実行させて、支払結果を出力する。これにより、結婚式において、招待者は、現金を用意しなくても、結婚式場にクレジットカードを持参して、当該クレジットカードにより祝儀の金額を支払うことができる。また、当日に新札の現金で高額な祝儀を用意できない場合でも、クレジットカードによって祝儀の金額を支払うことができる。
【０１０１】
また、結婚式の開始前に受付手続をおこなう際には、受付員は、現金を扱わないで済むことから、現金の管理にかかる労力の軽減を図ることができる。さらに、祝儀の紛失に伴うトラブルを防止することができる。また、招待者は、受付手続において現金を提示せずに済むため、受付手続の簡素化や受付手続にかかる時間の短縮化を図ることができ、受付手続にかかる負担を軽減することができる。
【０１０２】
また、本実施の形態にかかるカードリーダ装置１１２は、主催者がカード会社１２０において加盟店として登録される。言い換えれば、主催者は、結婚式におけるサービスの提供に対する招待者からの対価（祝儀）を、クレジットカードによりカード会社１２０から受け取る加盟店として登録される。また、本実施の形態では、支払先を、加盟店として登録された主催者の口座とした。このため、主催者を支払先としたカード決済をおこなう仕組みを簡単に構築できる。
【０１０３】
また、仮に、招待者が主催者の口座宛に直接振込をおこなうこととすると、主催者から招待者に振込先の口座を知らせたり、招待者に口座番号を入力させたりするなど、手間となり、負担になるおそれがある。本実施の形態では、このような負担を軽減し、祝儀の支払を簡単におこなうことができる。
【０１０４】
また、同一の結婚式場において複数の結婚式が開催される場合には、カードリーダ装置１１２は、それぞれ異なる支払先のうち招待者からの選択に応じた支払先に、祝儀の金額の支払を実行する旨の要求をカード会社１２０におこなうこととした。
【０１０５】
これにより、同一の結婚式場において複数の結婚式が開催される場合でも、各結婚式の招待者がそれぞれ所望の主催者宛に祝儀の支払いをおこなうことができる。また、結婚式場は、複数の結婚式が開催される場合でも、一のカードリーダ装置１１２を用意しておくだけで、祝儀の支払手続をおこなわせることができる。このため、結婚式場では、カードリーダ装置１１２の購入や維持にかかる負担を軽減することができる。
【０１０６】
また、本実施の形態にかかるカードリーダ装置１１２によれば、支払結果を印字出力するため、印字した用紙を支払証明書として祝儀袋に入れることにより、主催者に祝儀袋を提示することができる。これにより、招待者は、主催者に、儀式的に祝儀の贈呈をおこなうことができる。また、主催者は、自身の口座への入金を確認しなくても、祝儀を受領したことを把握することができる。
【０１０７】
また、カードリーダ装置１１２は、カード情報から特定できる住所を主催者に通知するか否かの選択を受け付け、選択結果に応じて主催者に住所を通知可能に出力することとした。これにより、招待者は、主催者へ住所を通知するにあたり、住所を記入したり、操作入力したりせずに済むため、住所の入力を簡略化することができる。
【０１０８】
また、本実施の形態にかかるカードリーダ装置１１２は、カード会社１２０を介して主催者に支払われた祝儀の金額の返済態様を、一括の返済態様とするか、または他の返済態様とするかを招待者から受け付けることとした。これにより、高額な祝儀の金額を分割払いやリボルビング払いの返済態様とすることができるため、祝儀の金額の支払にかかる招待者の負担を軽減させることができる。
【０１０９】
また、本実施の形態にかかるカードリーダ装置１１２は、カード情報によって特定される招待者が結婚式に出席したことを主催者に通知可能に出力する。これにより、主催者は、自ら招待者の出欠の確認をおこなわなくても、当日の招待者の出席状況を把握することができる。
【０１１０】
また、本実施の形態にかかるカードリーダ装置１１２は、招待者毎に応じたイベントに関する情報の中から、カード情報によって特定される招待者に応じたイベントに関する情報を出力する。これにより、たとえば、結婚式における席の案内など、招待者毎に応じた情報を通知することができる。
【０１１１】
また、本実施の形態にかかるカードリーダ装置１１２によれば、受付員による受付手続自体をおこなわなくても、主催者は、招待者の出席状況や祝儀の金額を把握することができる。また、結婚式場では、カードリーダ装置１１２によるサービスの提供により、結婚式場の宣伝広告活動をおこなうことができる。
【０１１２】
本実施の形態では、支払支援装置として、結婚式における祝儀の支払をおこなうカードリーダ装置１１２に適用した場合について説明したが、これに限らず、葬式のイベントや募金や寄付などのイベントなど、支払人が支払う所望の金額をカードによって支払うことができるカードリーダ装置に適用することができる。
【０１１３】
なお、本実施の形態で説明した支払支援方法は、予め用意されたプログラムをパーソナル・コンピュータやワークステーション等のコンピュータで実行することにより実現することができる。支払支援プログラムは、ハードディスク、フレキシブルディスク、ＣＤ（Ｃｏｍｐａｃｔ  Ｄｉｓｃ）−ＲＯＭ（Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリ等のコンピュータで読み取り可能な記憶媒体に記憶され、コンピュータによって記憶媒体から読み出されることによって実行される。また、支払支援プログラムは、インターネット等のネットワークを介して配布してもよい。
【産業上の利用可能性】
【０１１４】
以上のように、この発明にかかる支払支援装置、支払支援方法、および支払支援プログラムは、支払をおこなう、支払支援装置、支払支援方法、および支払支援プログラムに有用であり、特に、イベントにおいて支払人が支払う所望の金額をカードによって支払う、支払支援装置、支払支援方法、および支払支援プログラムに適している。
【符号の説明】
【０１１５】
１００  支払支援システム
１１１  式場端末
１１２  カードリーダ装置
１１５  式情報ＤＢ
１１６  招待者情報ＤＢ
１２１  カード会社サーバ
１４１  個人口座
１５０  読取部
１５１  操作入力部
１５２  ディスプレイ
１５３  印字出力部
２１０  バス
２１１  ＣＰＵ
２１２  メモリ
２１３  出力部
２１４  入力部
２１５  通信ＩＦ
３００  式情報
３１０  招待者情報
４０１  支払証明書
４１１  受付部
４１２  取得部
４１３  要求部
４１４  出力部
４２０  記憶部
【図１Ａ】
2019003347.tif 000003
【図１Ｂ】
2019003347.tif 000004
【図２】
2019003347.tif 000005
【図３Ａ】
2019003347.tif 000006
【図３Ｂ】
2019003347.tif 000007
【図４Ａ】
2019003347.tif 000008
【図４Ｂ】
2019003347.tif 000009
【図５Ａ】
2019003347.tif 000010
【図５Ｂ】
2019003347.tif 000011
【図５Ｃ】
2019003347.tif 000012
【図５Ｄ】
2019003347.tif 000013
【図５Ｅ】
2019003347.tif 000014
【図６】
2019003347.tif 000015
【図７】
2019003347.tif 000016